(57)【特許請求の範囲】
【請求項１】
天部、底部、側部及び背部を有するケース本体と、該ケース本体の収容部内に前部より出し入れ自在に収容された引き出しとを有するケースであって、
天部、側部、背部及び底部のうち少なくとも一つは、空間部を形成され、該空間部に色彩を有するフィルム、シート又は板で形成された色彩部材が位置するように、天部又は側部又は背部又は底部を構成する領域部分に嵌めこまれ又は固着されて、天部又は側部又は背部又は底部を形成し、
天部又は側部又は背部又は底部の外部より該色彩部材を視認できるように形成され、
前記色彩部材は、天部に配設される天部色彩部材と、一方の側部に配設される第１側部色彩部材と、他方の側部に配設される第２側部色彩部材とを含み、
天部及び側部は、それぞれ別々の天部材、背部材及び側部材により形成され、
天部材は手前側に配設され、背部材は向こう側に配設され、天部材の一方端及び背部材の一方端に一方の側部材が連設され、且つ天部材の他方端および背部材の他方端に他方の側部材が連設され、
前記天部材の向こう側の収容部側及び背部材の手前側の収容部側に、天部色彩部材に突設された嵌合凸部を嵌合するための嵌合孔を形成され、及び／又は、前記一方の側部材の天部側の収容部側の他方端及び前記他方の側部材の天部側の収容部側の一方端に、天部色彩部材に穿設された係合孔に係合するための係合凸部を形成され、
天部色彩部材は、その嵌合凸部を天部材及び背部材の嵌合孔に嵌合されて、天部材及び／又は側部材の前記空間部に取り付けられ、及び／又は天部色彩部材は、その係合孔を側部材の係合凸部に係合されて、側部材の前記空間部に取り付けられ、
天部材及び／又は側部材に取り付けられた天部色彩部材は、外部より視認できるように形成され、
天部は、手前側の天部材の天部領域及び向こう側の背部材の天部領域に分離され、
手前側の天部領域と向こう側の天部領域との間に、天側に天部領域を備えた側部材を枠状に連設され、
手前側の天部材の天部領域と向こう側の背部材の天部領域と側部材の天部領域とによって囲繞された部分に、天部色彩部材を取り付けられる前記空間部が形成され、
側部材は、空間部分に、側部色彩部材を取り付けられるように形成され、
天部材に取り付けられる天部色彩部材は、平面視略方形であって、側部側において折り曲げられ、該折り曲げられた部位の近傍に、側部材の天部側に突出された係合凸部を係合するための係合孔を形成され、
該折り曲げられた領域が側部材の収容部側に接し合わされ、且つ、
前記係合孔に側部材に形成された係合凸部を係合されて、天部材及び側部材の前記空間部に取り付けられた、ケース。
【請求項２】
側部材に取り付けられる側部色彩部材は、平面視略方形であって、
手前側端、向こう側端、上端及び下端に嵌合凸部を突設され、
該嵌合凸部が側部材の空間部の周縁の近傍に形成された細い隙間に嵌合されて、側部材の空間部に取り付けられた、請求項１に記載のケース。
【発明の詳細な説明】
【技術分野】
【０００１】
この発明は、ケースに関し、特に、例えば、用箋・文房具等を入れるレターケースに関する。
【背景技術】
【０００２】
従来、書類や文房具等を仕分けして整理・収納するためのケースとして、いわゆるレターケースが有る。
【先行技術文献】
【特許文献】
【０００３】
【特許文献１】特開２００４−２４９６０８号公報
【特許文献２】特開平８−１５４７５４号公報
【発明の概要】
【発明が解決しようとする課題】
【０００４】
従来のレターケースは、複数のトレーを入れるケース本体が、特定の色彩を有する合成樹脂で一体成形されている。
したがって、ケース本体の色彩を複数に増やそうとすれば、必要な色彩を備えるケース本体を複数準備しなければならない。そのために、それらのケース本体を在庫するにも広いスペースを必要とし、問題がある。
【０００５】
それゆえに、この発明の主たる目的は、１種類のケース本体に複数の色彩を付すことができるケースを提供することである。
【課題を解決するための手段】
【０００６】
この発明にかかるケースは、天部、底部、側部及び背部を有するケース本体と、該ケース本体の収容部内に前部より出し入れ自在に収容された引き出しとを有するケースであって、
天部、側部、背部及び底部のうち少なくとも一つは、空間部を形成され、該空間部に色彩を有するフィルム、シート又は板で形成された色彩部材が位置するように、天部又は側部又は背部又は底部を構成する領域部分に嵌めこまれ又は固着されて、天部又は側部又は背部又は底部を形成し、
天部又は側部又は背部又は底部の外部より該色彩部材を視認できるように形成された、ケース。
【０００７】
この発明の請求項２にかかるケースは、天部及び側部は、それぞれ別々の天部材、背部材及び側部材により形成され、
天部材の一方及び背部材の端に一方の側部材が連設され且つ天部材の他方端に他方の側部材が連設され、
天部材の側部材側の一方端の収容部側及び背部材の一方端の収容部側に、色彩部材に突設された嵌合凸部を嵌合するための嵌合孔部を形成され、及び／又は、
側部材の天部側の収容部側の一方端及び収容部側の他方端に、色彩部材に突設された嵌合凸部を嵌合するための嵌合孔を形成され、
色彩部材は、その嵌合凸部を天部材及び背部材の嵌合孔に嵌合されて、天部材及び／又は側部材の空間部に取り付けられ、及び／又は
色彩部材は、その嵌合凸部を側部材の嵌合孔に嵌合されて、側部材の空間部に取り付けられ、
天部材及び／又は側部材に取り付けられた色彩部材は、外部より視認できるように形成されている。
【０００８】
この発明の請求項３にかかるケースは、天部材に取り付けられる色彩部材は、半面視略方形であって、側部側において折り曲げられ、該折り曲げられた部位の近傍に、側部材の天部側に突出された係合凸部を嵌合するための係合孔を形成され、
該折り曲げられた領域が側部材の収容部側に接し合わされ、且つ、
前記係合孔に側部材に形成された係合凸部を係合されて、天部材及び側部材の空間部に取り付けられている。
【０００９】
この発明の請求項４にかかるケースは、天部は、手前側の天部材の天部領域及び向こう側の背部材の天部領域に分離され、
手前側の天部領域と向こう側の天部領域との間に、天側に天部領域を備えた側部材を枠状に連設され、
手前側の天部材の天部領域と向こう側の背部材の天部領域と側部材の天部領域とによって囲繞された部分に、色彩部材を取り付けられる空間部を形成されている。
【００１０】
この発明の請求項５にかかるケースは、側部材に取り付けられる色彩部材は、平面視略方形であって、
手前側端、向こう側端、上端及び下端に嵌合凸部を突設され、
該嵌合凸部が側部材の空間部の周縁の近傍に形成された細い隙間に嵌合されて、側部材の空間部に取り付けられている。
【発明の効果】
【００１１】
この発明によれば、１種類のケース本体に複数の色彩を付すことができるケースを提供することをできる。
請求項２の発明によれば、側部材に天部材及び背部材を取り付けて、容易に、色彩部材を取り付ける空間部を形成でき、空間部に色彩部材を取り付けることができる。
請求項３の発明によれば、色彩部材を空間部に確実に取り付けられる。
請求項４の発明によれば、色彩部材を空間部に確実に取り付けられる。
請求項５の発明によれば、側部材に天部材及び背部材を取り付けて、容易に、色彩部材を取り付ける空間部を形成でき、空間部に色彩部材を取り付けることができる。
【００１２】
この発明の上述の目的、その他の目的、特徴および利点は、図面を参照して行う以下の発明を実施するための形態の説明から一層明らかとなろう。
【図面の簡単な説明】
【００１３】
【図１】本発明の一実施の形態であるレターケースの斜視図解図である。
【図２】本発明の一実施の形態であるレターケースの斜視図解図である。
【図３】本発明の一実施の形態であるレターケースの斜視図解図である。
【図４Ａ】天部材の平面図解図である。
【図４Ｂ】天部材の正面図解図である。
【図４Ｃ】図４ＢＩ−Ｉ断面図解図である。
【図５Ａ】底部材の底面図解図である。
【図５Ｂ】底部材の正面図解図である。
【図５Ｃ】図５ＢＩ−Ｉ断面図解図である。
【図６Ａ】背部材の平面図解図である。
【図６Ｂ】背部材の正面図解図である。
【図７Ａ】側部材の平面図解図である。
【図７Ｂ】側部材の正面図解図である。
【図７Ｃ】側部材の背面図解図である。
【図８Ａ】側部材と色彩部材との組み合わせ方法を示す側面図解図である。
【図８Ｂ】側部材と色彩部材との組み合わせ方法を示す側面図解図である。
【図８Ｃ】側部材と色彩部材との組み合わせ方法を示す側面図解図である。
【図８Ｄ】側部材と色彩部材との組み合わせ方法を示す側面図解図である。
【図８Ｅ】側部材と色彩部材との組み合わせ方法を示す側面図解図である。
【図８Ｆ】側部材と色彩部材との組み合わせ方法を示す側面図解図である。
【図９Ａ】天部色彩部材の斜視図解図である。
【図９Ｂ】側部色彩部材の斜視図解図である。
【図１０Ａ】図１図示ケースの組み立て方法を示す分解図解図である。
【図１０Ｂ】図１図示ケースの組み立て方法を示す分解図解図である。
【図１０Ｃ】図１図示ケースの組み立て方法を示す分解図解図である。
【図１１Ａ】図１図示ケースの平面図解図である。
【図１１Ｂ】図１１ＡＩ−Ｉ断面図解図である。
【図１１Ｃ】図１１ＡＩ−Ｉ断面図解図である。
【図１１Ｄ】図１１ＢのＡ部拡大図解図である。
【図１１Ｅ】図１１ＢのＢ部拡大図解図である。
【発明を実施するための最良の形態】
【００１４】
この発明にかかるケース１０は、ケース本体１２と、該ケース本体１２の収容部１４内に前部より出し入れ自在に収容された引き出し１６とを有するいわゆるレターケースである。
【００１５】
ケース本体１２は、上面壁を有する天部２０と、底面壁を有する底部２２と、側面壁を有する側部（第１側部２４及び第２側部２６）と、背面壁を有する背部２８とを有する。
【００１６】
天部２０及び／又は側部（第１側部２４及び第２側部２６）は、天部２０及び／又は側部（第１側部２４及び第２側部２６）を構成する部分に空間部（第１空間部３０及び第２空間部３２）を形成されている。該空間部（第１空間部３０及び第２空間部３２）は、それに色彩を有するフィルム、シート又は板で形成された色彩部材（天部色彩部材２００、第１側部色彩部材２３０及び第２側部色彩部材２５０）が位置するように、天部２０及び／又は側部（第１側部２４及び第２側部２６）を構成する領域部分に嵌めこまれ又は固着されて、天部２０及び側部（第１側部２４及び第２側部２６）を形成し、天部２０及び／又は側部（第１側部２４及び第２側部２６）の外部より該色彩部材（天部色彩部材２００、第１側部色彩部材２３０及び第２側部色彩部材２５０）を視認できるように形成されている。
【００１７】
天部２０及び側部（第１側部２４及び第２側部２６）は、それぞれ別々の天部材５０、底部材５２及び側部材（第１側部材５４及び第２側部材５６）により形成され、天部材５０の一方端に一方の側部材（第１側部材５４）が連設され且つ天部材５０の他方端に他方の側部材（第２側部材５６）が連設されている。また、底部材５２の一方端に一方の側部材（第１側部材５４）が連設され且つ底部材５０の他方端に他方の側部材（第２側部材５６）が連設されている。
【００１８】
天部２０は、手前側の天部材５０と向こう側の背部材５８とに分離されている。
手前側の天部材５０と向こう側の背部材５８との間に、天側に天部領域１００を備えた側部材（第１側部材５４及び第２側部材５６）が、枠状に連設されている。
手前側の天部材５０の天部領域１００と向こう側の背部材５８の天部領域１００と側部材（第１側部材５４及び第２側部材５６）の天部領域１００とによって囲繞された領域に、天部色彩部材２００を取り付けられる第１空間部３０を形成されている。
側部材（第１側部材５４及び第２側部材５６）は、天部領域１００と底部領域１０２と前部領域１０４と背部領域１０８とによって囲繞された領域に、色彩部材（第１側部色彩部材２３０及び第２側部色彩部材２５０）を取り付けられる第２空間部３２を形成されている。
【００１９】
第１空間部３０は、天部材５０の天部領域１００の上面、背部材５８の天部領域１００の上面並びに第１側部材５４及び第２側部材５６の天部領域１００の上面より、若干凹んだ状態に形成された開口部である。第１空間部３０は、天部色彩部材２００の平面視略長方形の形状に対応して、平面視略長方形である。
第２空間部３２は、側部材（第１側部材５４及び第２側部材５６）の側面領域１０６の外表面より、若干凹んだ状態に形成された開口部である。第２空間部３２は、第１側部色彩部材２３０及び第２側部色彩部材２５０の側面視略長方形の形状に対応して、側面視略長方形である。
【００２０】
天部材５０は、側部材（第１側部材５４及び第２側部材５６）側の一方端の収容部１４側端に、天部色彩部材２００に突設された嵌合凸部２１０を嵌合するための嵌合孔６０を形成されている。
【００２１】
底部材５２は、側部材（第１側部材５４及び第２側部材５６）側の一方端の収容部１４側に、天部色彩部材２００に突設された嵌合凸部２１２を嵌合するための嵌合孔７０を形成されている。
【００２２】
側部材（第１側部材５４）は、天部２０側の収容部１４側の一方端に、色彩部材（天部色彩部材２００）に穿設された係合孔２２０に嵌合するための係合凸部８０を形成されている。
【００２３】
側部材（第２側部材５６）は、天部２０側の収容部１４側の他方端に、色彩部材（天部色彩部材２００）に穿設された係合孔２２２に嵌合するための係合凸部８２を形成されている。
【００２４】
天部色彩部材２００は、その嵌合凸部２１０を天部材５０の嵌合孔６０に嵌合され、且つ底部材５２の嵌合孔７０に嵌合されて、天部材５０、底部材５２及び／側部材（第１側部材５４及び第２側部材５６）の収容部１４側に取り付ける。
【００２５】
天部材５０及び側部材（第１側部材５４及び第２側部材５６）に取り付けられた天部色彩部材２００は、外部より視認できるように形成されている。
底部材５２及び側部材（第１側部材５４及び第２側部材５６）に取り付けられた天部色彩部材２００は、外部より視認できるように形成されている。
【００２６】
天部材５０に取り付けられる天部色彩部材２００は、平面視略方形であって、第１側部２４及び第２側部２６側において折り曲げられ、該折り曲げられた脚部２２４及び脚部２２６の近傍に、側部材（第１側部材５４及び第２側部材５６）の天部２０側に突出された係合凸部８０及び係合凸部８２を嵌合するための係合孔２２０及び係合孔２２２を形成されている。
該折り曲げられた脚部２２４及び脚部２２６の領域が、側部材（第１側部材５４及び第２側部材５６）の収容部１４側に接し合わされ、且つ、前記係合孔２２０及び２２２に側部材（第１側部材５４及び第２側部材５６）に形成された係合凸部８０及び８２を係合されて、天部材５０及び側部材（第１側部材５４及び第２側部材５６）の収容部１４側に取り付ける。
【００２７】
第１側部色彩部材２３０は、第２空間部３２に嵌入され、その嵌合凸部２４０、その嵌合凸部２４２、その嵌合凸部２４６及びその嵌合凸部２４８を、側部材（第１側部材５６）の前嵌合孔１２０、後嵌合孔１２２、上嵌合孔１２６及び下嵌合孔１３０に嵌合されて、側部材（第１側部材５４）の第２空間部３２の収容部１４側に取り付けられる。
第２側部色彩部材２５０は、第２空間部３２に嵌入され、その嵌合凸部２６０，嵌合凸部２６２、嵌合凸部２６６及び嵌合凸部２６８を、側部材（第２側部材５６）の前嵌合孔１３０，後嵌合孔１３２，上嵌合孔１３６及び下嵌合孔１３８に嵌合して、側部材（第２側部材５６）の第２空間部３２側の収容部１４側に取り付けられる。
【００２８】
側部材（第１側部材５４）に取り付けられる第１側部色彩部材２３０は、平面視略方形であって、手前側端に嵌合凸部２４０、向こう側端に嵌合凸部２４２、上端に嵌合凸部２４６及び下端に嵌合凸部２４８を突設されている。
該嵌合凸部２４０，２４２，２４６及び２４８は、第１側部材５４の第１空間部３０の周縁の近傍に形成された細い隙間に嵌合されて、側部材（第１側部２４，第２側部２６）の第２空間部３２の収容部１４側に取り付けられている。
【００２９】
側部材（第２側部材５６）に取り付けられる第２側部色彩部材２５０は、平面視略方形であって、手前側端に嵌合凸部２６０、向こう側端に嵌合凸部２６２、上端に嵌合凸部２６６及び下端に嵌合凸部２６８を突設されている。
該嵌合凸部２６０，２６２，２６６及び２６８は、第２側部材５６の第１空間部３０の周縁の近傍に形成された細い隙間に嵌合されて、側部材（第１側部２４，第２側部２６）の第２空間部３２の収容部１４側に取り付けられている。
【００３０】
天部材５０は、一定の間隔をおいて立設された、一方の第１側部材２４及び第２側部２６を他方の第２の側部材５６との間に架け渡すための長さを備え、その長さは、背部２８材の幅と略々同じである。
天部材５０は、天部領域１００を構成する上面部１５０と、前部領域１０４を構成する前面部１５２とを備え、上面部１５０を側部材（第１側部材５４及び第２側部材５６）の上部に配設される。
天部材５０は、一方端（左端）において、上面部１５０の下面より、下方に向けて突設された連結凸部１５６を備える。
天部材５０は、他方端（右端）において、上面部１５０の下面より、下方に向けて突設された連結凸部１５８を備える。
【００３１】
天部材５０は、第１空間部３０を形成するための直線状の段差が凹設されている。
第１空間部３０を形成する段差部分は、天部色彩部材２００を平面状に保持するための色彩部材保持部３０ａを形成されている。
天部材５０は、向こう側から天部色彩部材２００を嵌め込まれるように、嵌合孔６０が、直線状の段差の内側において向こう側に向けて開口している。
【００３２】
底部材５２は、底部領域１０２を構成する下面部１６０と、前部領域１０４を構成する前面部１６２とを備え、下面部１６０を側部材（第１側部材５４及び第２側部材５６）の下部に配設する。
底部材５２は、一方端（左端）において、下面部１６０の上面より上方に向けて突設された連結凸部１６６を備える。
底部材５２は、他方端（右端）において、下面部１６０の上面より上方に向けて突設された連結凸部１６８を備える。
【００３３】
背部材５８は、第１側部材５４及び第２側部材５６の向こう側端に接合されて、第１側部材５４及び第２側部材５６と直立するように立設される。
【００３４】
背部材５８は、背面視略方形の合成樹脂製板状体で形成され、その高さは複数段の引き出し１６を重ねられる高さであり、その長さは、引き出し１６の長さより若干長い長さである。
【００３５】
背部材５８は、天部領域１００を構成する上面部１４０と、背部領域１０８を構成する背面部１４２と、底部領域１０２を構成する底面部１４４とを備える。
背部材５８は、一方端（左端）において、上面部１４０に近い位置において背面部１４２の内側から手前側（収容部１４側）に向けて突設された上部連結凸部１８０と、底面部１４４に近い位置において背面部１４２の内側から収容部１４側に向けて突設された後部連結凸部１８２とを備える。
背部材５８は、他方端（右端）において、上面部１４０に近い位置において背面部１４２の内側から手前側（収容部１４側）に向けて突設された上部連結凸部１８４と、底面部１４４に近い位置において背面部１４２の内側から手前側（収容部１４側）に向けて突設された下部連結凸部１８６とを備える。
【００３６】
背部材５８は、第１空間部３０を形成するための直線状の段差が凹設されている。第１空間部３０を形成するための段差部分は、天部色彩部材２００を平面状に保持するための色彩部材保持部３０ａを形成されている。
背部材５８は、手前側から天部色彩部材２００を嵌め込まれるように、嵌合孔７０が、手前側から直線状の段差の内側において、手前側に向いて開口している。
【００３７】
天部材５０の直線状の段差と背部材５８の直線状の段差とは、対向しており、対称である。
天部材５０の嵌合孔６０と背部材５８の背部材５８とは、対向しており、対称である。
【００３８】
天部材５０の直線状段差と背材部５８の直線状段差とは、平行で対向しており、幅方向に平行にのびる直線状である。
天部材５０の直線状段差と第２側部材５６の直線状段差とは、平行で対向しており、長手方向に平行にのびる直線状である。
【００３９】
天部材５０は、その一方端が、上面部１５０の下部に突設された連結凸部１５６を第１側部材５４の収容部１４側に穿設された連結凹部１７０に嵌合して、第１側部材５４に取り付けられる。
天部材５０は、その他方端が、上面部１５０の下部に突設された連結凸部１５８を第２側部材５６の収容部１４側に穿設された連結凹部１７２に嵌合して、第２側部材５６に取り付けられる。
【００４０】
底部材５２は、その一方端が、下面部１６０の上部に突設された連結凸部１６６を、第１側部材５４の収容部１４側に穿設された連結凹部１７４に嵌合して、第１側部材５４に取り付けられる。
底部材５２は、その他方端が、下面部１６０の上部に突設された連結凸部１６８を、第１部材５６の収容部１４側に穿設された連結凹部１７６に嵌合して、第１側部材５４に取り付けられる。
【００４１】
側部を構成する一方の第１側部材５４は、側面視略方形の合成樹脂製板状体で形成され、その高さは複数段の引き出し１６を重ねられる高さであり、その長さは、引き出し１６の長さより若干長い長さである。
側部を構成する他方の第２側部材５６は、複数段の引き出し１６を重ねられる高さであり、その長さは、引き出し１６の長さより若干長い長さである。
第１側部２４と第２側部２６とは、対称形である。
【００４２】
第１側部材５４は、第２空間部３２を形成するための直線状の段差が凹設されている。
第２空間部３２を形成する段差部分は、第１側部色彩部材２３０を平面状に保持するための色彩部材保持部３２ａを形成されている。
第２側部材５６は、第２空間部３２を形成するための直線状の段差が凹設されている。
第２空間部３２を形成する段差部分は、第２側部色彩部材２５０を平面状に保持するための色彩部材保持部３２ａを形成されている。
【００４３】
第１側部材５４は、下側から、第１側部色彩部材２３０の嵌合凸部２４６を嵌め込まれるように、上嵌合孔１２６が直線状の上段差の上側より下方に向かって開口している。
第１側部材５４は、上側から、第１側部色彩部材２３０の嵌合凸部２４８を嵌め込まれるように、下嵌合孔１２８が直線状の下段差の下側より上方に向かって開口している。
第２側部材５６は、下側から、第２側部色彩部材２５０の嵌合凸部２６６を嵌め込まれるように、上嵌合孔１３６が直線状の上段差の上側より下方に向かって開口している。
第１側部材５６は、上側から、第２側部色彩部材２５０の嵌合凸部２６８を嵌め込まれるように、下嵌合孔１３８が直線状の下段差の下側より上方に向かって開口している。
【００４４】
第１側部材５４は、向こう側から第１側部色彩部材２３０の嵌合凸部２４０を嵌め込まれるように、前嵌合孔１２０が直線状の前段差の手前側より向こう側に向って開口している。
第１側部材５４は、手前側から第１側部色彩部材２３０の嵌合凸部２４２を嵌め込まれるように、後嵌合孔１２２が直線状の後段差の向こう側から手前側に向って開口している。
第２側部材５６は、向こう側から第２側部色彩部材２５０の嵌合凸部２６０を嵌め込まれるように、前嵌合孔１３０が直線状の前段差の手前側より向こう側に向って開口している。
第２側部材５６は、手前側から第２側部色彩部材２５０の嵌合凸部２６２を嵌め込まれるように、後嵌合孔１３２が直線状の後段差の向こう側から手前側に向って開口している。
【００４５】
第１側部材５４は、前面側の上部において、天部材５０の連結凸部１５６を嵌入するための連結凹部１７０を、上方に向けて開口するように、穿設されている。
第１側部材５４は、前面側の下部において、底部材５２の連結凸部１６６を嵌入するための連結凹部１７４を、下方に向けて開口するように、穿設されている。
第２側部材５６は、前面側の上部において、天部材５０の連結凸部１５８を嵌入するための連結凹部１７２を、上方に向けて開口するように、穿設されている。
第２側部材５６は、前面側の下部において、底部材５２の連結凸部１６８を嵌入するための連結凹部１７６を、下方に向けて開口するように、穿設されている。
【００４６】
第１側部材５４は、後面側の上部において、背部材５８の連結凸部１８０を嵌入するための連結凹部１９０を、向こう側に向けて開口するように、穿設されている。
第１側部材５４は、後面側の下部において、背部材５８の連結凸部１８２を嵌入するための連結凹部１９２を、向こう側に向けて開口するように、穿設されている。
第１側部材５６は、後面側の上部において、背部材５８の連結凸部１８４を嵌入するための連結凹部１９４を、向こう側に向けて開口するように、穿設されている。
第１側部材５６は、後面側の下部において、背部材５８の連結凸部１８６を嵌入するための連結凹部１９６を、向こう側に向けて開口するように、穿設されている。
【００４７】
第１側部材５４  は、天部材５０、底部材５２及び背部材５８との連結を確実にするために、例えば、連結凹部１９０、１９２、１９４、及び１９６の上部に引っ掛け突起ないしは引っ掛け突条を設けて、天部材５０，底部材５２、及び背部材５８の引っ掛け凹部に引っ掛けるようにしてもよい。
あるいは、天部材５０、底部材５２及び背部材５８は、第１側部材５４との連結を確実にするために、連結凸部１５６，１５８，１６６，１６８，１８０，１８２，１８４及び１８６の周囲に引っ掛け突起ないしは引っ掛け突条を設けて、第１側部材５４の引っ掛け凹部に引っ掛けるようにしてもよい。
【００４８】
この発明の突設の形態においては、連結凹部１９０及び１９４の上に引っ掛け突条１９０ａ及び１９４ａが突設され、連結凸部１８０及び１８４、に引っ掛け突条１９０ａ及び１９４ａを嵌入するための引っ掛け凹条１８０ａ及び１８４ａを穿設されている。（図１０Ｃ参照）。
この発明の突設の形態においては、連結凹部１９２及び１９６の下に、引っ掛け突条１９２ａ及び１９６ａが突設され、連結凸部１８２及び１８６に、引っ掛け突条１９２ａ及び１９６ａを嵌入するための引っ掛け凹条１８２ａ及び１８６ａを穿設されている。（図１０Ｃ参照）。
【００４９】
第１側部材５４は、引き出し１６を、摺動させるための直線状の案内部３００を備える。案内部３００は、上段、中段、下段の引き出し１６を嵌め込めるように、複数段（上段、中段、下段）並列して設けられている。
第２側部材５６は、引き出し１６を、摺動させるための直線状の案内部３１０を備える。案内部３１０は、上段、中段、下段の引き出し１６を嵌め込めるように、複数（上段、中段、下段と）並列して設けられている。
案内部３００及び案内部３１０は、それぞれ同一間隔で形成され、案内部３００及び案内部３１０とは収容部１４を挟んで向き合っている。
【００５０】
天部２０は、本ケース１０を積み重ねたときに、上段のケース１０がずれないようにするための積み重ね凸部９０を突設されている。
底部２２は、本ケース１０を積み重ねたときに、下段のケース１０をずれないようにするための積み重ね凹部９２を凹設されている。
【００５１】
次に、ケース１０の組み立て方法について、主として図８ないし１０に基づいて、説明する。
第１側部材５４と第２側部材５６とは、引き出し１６を入れる幅をおいて、平行に起立させる。
【００５２】
背部材５８は、第１側部材５４及び第２側部材５６の向こう側において、それらの間に起立させる。背部材５８は、その一方端が、収容部１４側の面において収容部１４側に向けて突設された連結凸部１８０及び１８２を、第１側部材５４の収容部１４側に穿設された連結凹部１９０および１９２に嵌合して、第１側部材５４に取り付けられる。
背部材５８は、第１側部材５４及び第２側部材５６の向こう側において、それらの間に起立させる。背部材５８は、その他方端が、収容部１４側の面において収容部１４側に向けて突設された連結凸部１８４及び１８６を、第２側部材５６の収容部１４側に穿設された連結凹部１９４及び１９６に嵌合して、第２側部材５６に取り付けられる。
【００５３】
天部材５０は、第１側部材５４及び第２側部材５６の手前上側において、第１側部材５４と第２側部材５６の間に架け渡されて、連結凸部１５６を第１側部材５４の連結凹部１７０に、連結凸部１５８を第２側部材５６の連結凹部１７２に嵌合して取り付けられる。
【００５４】
底部材５２は、第１側部材５４及び第２側部材５６の手前下側において、第１側部材５４と第２側部材５６との間に架け渡されて、連結凸部１６６を第１側部材５４の連結凹部１７４に、連結凸部１６８を第２側部材５６の連結凹部１７６に嵌合して取り付けられる。
【００５５】
背部材５８は、第１側部材５４及び第２側部材５６の向こう側において、第１側部材５４と第２側部材５６との間に架け渡され、第１側部材５４及び第２側部材５６と直交するように取り付けられる。
背部材５８と第１側部材５４及び第２側部材５６とは、略々同じ高さであって、背部材５８の上面部１４０と第１側部材５４及び第２側部材５６の上面（天部２０）とは、略々同じ高さで揃うとともに、背部材５８の底面部１４４と第１側部材５４及び第２側部材５６の下面（底部２２）とは、略々同じ平面状に揃う。
【００５６】
天部材５０は、第１側部材５４及び第２側部材５６の手前側において、第１側部材５４と第２側部材５６との間に架け渡され、第１側部材５４及び第２側部材５６と直交するように取り付けられる。
天部材５０と第１側部材５４及び第２側部材５６とは、略々同じ高さであって、天部材５０の天部２０と第１側部材５４及び第２側部材５６の上面（天部２０）とは、略々同じ高さで揃う。
【００５７】
底部材５２は、第１側部材５４及び第２側部材５６の手前側において、第１側部材５４と第２側部材５６との間に架け渡され、第１側部材５４及び第２側部材５６と直交するように取り付けられる。
底部材５２の底部２２と第１側部材５４及び第２側部材５６の下面（底部２２）とは、略々同じ平面状に揃う。
【００５８】
天部材５０は、背部材５８の上面（天部２０）と略々同じ高さ位置において、その前面部１５２と背部材５８の向こう側の面とが平行となるように第１側部材５４及び第２側部材５６に取り付けられる。
【００５９】
底部材５２は、背部材５８の上面（底部２２）と略々同じ高さ位置において、その前面部１６２と背部材５８の向こう側の面とが平行となるように第１側部材５４及び第２側部材５６に取り付けられる。
【００６０】
天部材５０の前面部１５２と底部材５２の前面部１６２とが、揃い、且つ天部材５０の上面部１４０と底部材５２の下部（底部２２）とが平行になるように、天部材５０及び底部材５２は、第１側部材５４及び第２側部材５６の手前に取り付けられる。
【００６１】
天部材５０の内側の色彩部材保持部３０ａと背部材５８の内側の色彩部材保持部３０ａとは、略々平行であって、第１側部材５４の内側の色彩部材保持部３０ａと第２側部材５６の内側の色彩部材保持部３０ａとは略々平行であり、略々方形の第１空間部３０が形成される。
【００６２】
第１側部材５４及び、第２側部材５６の手前側において架け渡された、天部材５０及び底部材５２と、第１側部材５４及び第２側部材５６の向こう側において架け渡された背部材５８と、天部材５０及び底部材５２並びに背部材５８の内に立設された第１側部材５４及び第２側部材５６とによって、略々直方体状のケース本体１２が形成される。
【００６３】
天部色彩部材１００は、その嵌合凸部２１０を天部材５０の嵌合孔６０に嵌合され、且つ底部材５２の嵌合孔７０に嵌合されて、天部材５０、底部材５２及び／側部材（第１側部材５４及び第２側部材５６）の収容部１４側に取り付ける。
天部色彩部材２００は、第１空間部３０に嵌入して、該折り曲げられた脚部２２４及び脚部２２６の領域を、側部材（第１側部材５４及び第２側部材５６）の収容部１４側に接し合わし、且つ、前記係合孔２２０及び２２２に側部材（第１側部材５４及び第２側部材５６）に形成された係合凸部８０及び８２を係合させて、天部材５０及び側部材（第１側部材５４及び第２側部材５６）の収容部１４側に取り付ける。
天部色彩部材２００は、天部材５０、底部材５２、第１側部材５４及び第２側部材５６の外表面より若干内側に入った位置で、枠状の空間部３０に嵌め込まれ、上面壁を構成する垂直面状の外壁を形成する。
【００６４】
第１側部色彩部材２３０は、第２空間部３２に嵌入して、その嵌合凸部２４０、その嵌合凸部２４２、その嵌合凸部２４６及び嵌合凸部２４８を、側部材（第１側部材５４）の前嵌合孔１２０、後嵌合孔１２２、上嵌合孔１２６及び下嵌合孔１３０に嵌合して、側部材（第１側部材５４）の第２空間部３２収容部１４側に取り付けられる。
第１側部色彩部材２３０は、天部材５０、底部材５２、第１側部材５４及び第２側部材５６の外表面より若干内側に入った位置で、枠状の空間部３２に嵌め込まれ、側面壁を構成する垂直面状の外壁を形成する。
第２側部色彩部材２５０は、第２空間部３２に嵌入して、その嵌合凸部２６０，嵌合凸部２６２、嵌合凸部２６６及び嵌合凸部２６８を、側部材（第２側部材５６）の前嵌合孔１３０，後嵌合孔１３２，上嵌合孔１３６及び下嵌合孔１３８に嵌合して、側部材（第２側部材５６）の第２空間部３２側の収容部１４側に取り付けられる。
第２側部色彩部材２５０は、天部材５０、底部材５２、第１側部材５４及び第２側部材５６の外表面より若干内側に入った位置で、枠状の第２空間部３２に嵌め込まれ、側面壁を構成する垂直面状の外壁を形成する。
【００６５】
前記実施の形態のケース１０は、色彩部材が、天部２０、第１側部２４及び第２側部２６に嵌め込まれているが、この発明の思想に基づき、ケース１０のその他の部位に色彩の変化を与えるようにしてもよい。
例えば、背部２８又は底部２２にも第１空間部３０及び第２空間部３２と同じような構造の空間部を形成して、該空間部に天部色彩部材２００及び第１側部色彩部材２３０（第２側部色彩部材２５０）と同じような構造の色彩部材を嵌め込み、背部２８及び底部２２の色彩に変化を与えるようにしてもよい。
具体的には、背部材５８の中央に空間部を穿設し、その空間部の口縁の近傍の色彩部材保持部に色彩部材を嵌め込む。
あるいは、底部材５２と背部材５８との間に空間部を形成し、その空間部の口縁の近傍の色彩部材保持部に色彩部材を嵌め込む。
【符号の説明】
【００６６】
１０  ケース
１２  ケース本体
１４  収容部
１６  引き出し
２０  天部
２２  底部
２４  第１側部
２６  第２側部
２８  背部
３０  第1空間部
３０ａ，３２ａ  色彩部材保持部
３２  第２空間部
５０  天部材
５２  底部材
５４  第１側部材
５６  第２側部材
５８  背部材
６０，７０  嵌合孔
８０，８２  係合凸部
９０    積み重ね凸部
９２    積み重ね凹部
１００  天部領域
１０２  底部領域
１０４  前部領域
１０６  側面領域
１０８  背部領域
１２０，１３０  前嵌合孔
１２２，１３２  後嵌合孔
１２６，１３６  上嵌合孔
１２８，１３８  下嵌合孔
１４０，１５０  上面部
１４２  背面部
１４４  底面部
１５２  １６２  前面部
１５６，１５８，１６６，１６８，１８０，１８２，１８４，１８６  連結凸部
１７０，１７２，１７４，１７６，１９０，１９２，１９４，１９６  連結凹部
１６０，下面部
１８０ａ，１８２ａ，１８４ａ，１８６ａ  引っ掛け凹条
１９０ａ，１９２ａ，１９４ａ，１９６ａ  引っ掛け突条
２００  天部色彩部材
２１０，２１２，２４０，２４２，２４６，２４８，２６０，２６２，２６６，２６８  嵌合凸部
２２０，２２２  係合孔
２２４，２２６  脚部
２３０  第１側部色彩部材
２５０  第２側部色彩部材
３００，３１０  案内部
【図１】
0005992018.tif 000002
【図２】
0005992018.tif 000003
【図３】
0005992018.tif 000004
【図４Ａ】
0005992018.tif 000005
【図４Ｂ】
0005992018.tif 000006
【図４Ｃ】
0005992018.tif 000007
【図５Ａ】
0005992018.tif 000008
【図５Ｂ】
0005992018.tif 000009
【図５Ｃ】
0005992018.tif 000010
【図６Ａ】
0005992018.tif 000011
【図６Ｂ】
0005992018.tif 000012
【図７Ａ】
0005992018.tif 000013
【図７Ｂ】
0005992018.tif 000014
【図７Ｃ】
0005992018.tif 000015
【図８Ａ】
0005992018.tif 000016
【図８Ｂ】
0005992018.tif 000017
【図８Ｃ】
0005992018.tif 000018
【図８Ｄ】
0005992018.tif 000019
【図８Ｅ】
0005992018.tif 000020
【図８Ｆ】
0005992018.tif 000021
【図９Ａ】
0005992018.tif 000022
【図９Ｂ】
0005992018.tif 000023
【図１０Ａ】
0005992018.tif 000024
【図１０Ｂ】
0005992018.tif 000025
【図１０Ｃ】
0005992018.tif 000026
【図１１Ａ】
0005992018.tif 000027
【図１１Ｂ】
0005992018.tif 000028
【図１１Ｃ】
0005992018.tif 000029
【図１１Ｄ】
0005992018.tif 000030
【図１１Ｅ】
0005992018.tif 000031